(57)【要約】【課題】２階調駆動方式でも、中間調の表示が可能であるなど、多彩な画像表示を行なうことのできる電気光学装置、かかる電気光学装置を備えた電子機器、および電気光学装置の駆動方法を提供すること。【解決手段】電気光学装置をヘッドアップディスプレイに用いるにあたって、画素１００ａは、２階調駆動されるサブ画素１００ｂ（Ｒ）、１００ｂ（Ｇ）を備え、サブ画素１００ｂ（Ｒ）、１００ｂ（Ｇ）は、互いに独立して２階調駆動される複数の分割サブ画素（赤色用の第１分割サブ画素Ｒ１、赤色用の第２分割サブ画素Ｒ２、緑色用の第１分割サブ画素Ｇ１、および緑色用の第２分割サブ画素Ｇ２）により構成されている。このため、２階調駆動であっても、分割サブ画素の全てが消灯状態、分割サブ画素のうちの一部が消灯状態で他が点灯状態、分割サブ画素の全てが点灯状態とすることができる。【選択図】図５
2009204898.tif 000002
【特許請求の範囲】
【請求項１】
複数の画素を備えた電気光学装置において、
前記複数の画素は各々、互いに異なる色の光を出射する複数のサブ画素を備え、
前記複数のサブ画素のうち、少なくとも１つのサブ画素は、同色の光を出射する複数の分割サブ画素を備えるとともに、当該複数の分割サブ画素は各々、２階調で独立して駆動されることを特徴とする電気光学装置。
【請求項２】
前記複数のサブ画素は各々、互いに異なる有色の光を出射することを特徴とする請求項１に記載の電気光学装置。
【請求項３】
１つの前記画素は、２つのサブ画素によって構成されることを特徴とする請求項１または２に記載の電気光学装置。
【請求項４】
前記複数のサブ画素のいずれもが、前記複数の分割サブ画素を備えていることを特徴とする請求項１乃至３の何れか一項に記載の電気光学装置。
【請求項５】
１つの前記サブ画素は、２つの分割サブ画素によって構成されることを特徴とする請求項１乃至４の何れか一項に記載の電気光学装置。
【請求項６】
前記サブ画素内において、前記複数の分割サブ画素は同一の輝度特性を備えていることを特徴とする請求項１乃至５の何れか一項に記載の電気光学装置。
【請求項７】
前記サブ画素内において、前記複数の分割サブ画素は互いに異なる輝度特性を備えていることを特徴とする請求項１乃至５の何れか一項に記載の電気光学装置。
【請求項８】
前記サブ画素内において、前記複数の分割サブ画素は互いに異なる濃さのカラーフィルタを備えていることを特徴とする請求項７に記載の電気光学装置。
【請求項９】
前記サブ画素内において、前記複数の分割サブ画素は互いに異なる光出射面積を備えていることを特徴とする請求項７に記載の電気光学装置。
【請求項１０】
前記サブ画素に対応する画素電極が形成された素子基板と、該素子基板に対向配置された対向基板と、前記素子基板と前記対向基板との間に保持された液晶とを備えていることを特徴とする請求項１乃至９の何れか一項に記載の電気光学装置。
【請求項１１】
請求項１乃至１０の何れか一項に記載の電気光学装置を備えていることを特徴とする電子機器。
【請求項１２】
前記電気光学装置に光を供給する光源と、該光源から出射された光を前記電気光学装置により光変調してなる表示光を被投射面に向けて投射する光学系とを有することを特徴とする請求項１１に記載の電子機器。
【請求項１３】
複数の画素を備えた電気光学装置の駆動方法において、
前記複数の画素の各々に、互いに異なる色の光を出射する複数のサブ画素を設けるとともに、当該複数のサブ画素のうち、少なくとも１つのサブ画素には、同じ色の光を出射する複数の分割サブ画素を設け、
当該複数の分割サブ画素を各々、２階調で独立して駆動することを特徴とする電気光学装置の駆動方法。
【発明の詳細な説明】
【技術分野】
【０００１】
本発明は、各種情報をカラー表示可能な電気光学装置、この電気光学装置を備えた電子機器、および電気光学装置の駆動方法に関するものである。
【背景技術】
【０００２】
液晶装置や有機エレクトロルミネッセンス装置などといった電気光学装置では、複数の画素が所定方向に配列されている。このような電気光学装置のうち、例えば、液晶装置でカラー表示を行なう場合、複数の画素の各々が、赤色、緑色、青色に対応する３つのサブ画素によって構成され、３つのサブ画素は各々、２５６階調等の多階調で駆動されてフルカラー表示を行なうのが一般的である（特許文献１参照）。
【特許文献１】特開平２−２９８９１６号公報
【発明の開示】
【発明が解決しようとする課題】
【０００３】
近年、電気光学装置は、直視型表示装置あるいは投射型表示装置等、様々な電子機器に用いられている。また、投射型表示装置のうち、車両のウィンドシールドガラスに各種画像を投射表示する表示装置については、ヘッドアップディスプレイ（ＨＵＤ／Head Up Display）と称せられており、かかる表示装置によれば、運転者は視線を落とさずとも情報を視認できるという利点がある。このような情報を表示する装置では、フルカラーで品位の高い画像を表示することよりも、装置構成の簡素化が望まれている。
【０００４】
ここに、本願発明者は、複数の画素を各々、互いに異なる色の光を出射する複数のサブ画素により構成し、かつ、複数のサブ画素を各々、２階調で駆動する方式を提案するものである。かかる構成によれば、データ線駆動回路や画像処理回路の構成を簡素化できるという利点がある。
【０００５】
しかしながら、かかる２階調駆動方式では、あまりにも画像の表現色が限られてしまうため、商品価値が低いという問題点がある。
【０００６】
そこで、本発明の課題は、２階調駆動方式でも、中間調の表示が可能であるなど、多彩な画像表示を行なうことのできる電気光学装置、かかる電気光学装置を備えた電子機器、および電気光学装置の駆動方法を提供することにある。
【課題を解決するための手段】
【０００７】
上記課題を解決するために、本発明では、複数の画素を備えた電気光学装置において、前記複数の画素は各々、互いに異なる色の光を出射する複数のサブ画素を備え、前記複数のサブ画素のうち、少なくとも１つのサブ画素は、同じ色の光を出射する複数の分割サブ画素を備えるとともに、当該複数の分割サブ画素は各々、２階調で独立して駆動されることを特徴とする。
【０００８】
また、本発明では、複数の画素を備えた電気光学装置の駆動方法において、前記複数の画素の各々に、互いに異なる色の光を出射する複数のサブ画素を設けるとともに、前記複数のサブ画素のうち、少なくとも１つのサブ画素には、同じ色の光を出射する複数の分割サブ画素を設け、当該複数の分割サブ画素を各々、２階調で独立して駆動することを特徴とする。
【０００９】
本発明において、「前記複数の画素は各々、互いに異なる色の光を出射する複数のサブ画素により構成され」とは、画素が、白色光を出射するサブ画素と、赤色（Ｒ）、緑色（Ｇ）、青色（Ｂ）などの有色光を出射するサブ画素とによって構成されている場合を含む意味である。また、「同じ色の光」とは、分割サブ画素が各々、赤色（Ｒ）、緑色（Ｇ）、青色（Ｂ）などの有色光を出射する場合の他、白色光を出射する場合も含む意味である。
【００１０】
本発明では、２階調方式を採用したため、画素を駆動するための駆動回路や画像処理回路の構成の簡素化を図ることができる。また、複数のサブ画素のうちの少なくとも１つのサブ画素は、互いに独立して２階調で駆動される複数の分割サブ画素を備えているため、２階調駆動であっても、例えば、複数の分割サブ画素の全てが消灯状態、複数の分割サブ画素のうちの一部が消灯状態で他が点灯状態、複数の分割サブ画素の全てが点灯状態とすることができる。従って、２階調駆動方式であっても、中間調の表示が可能であるなど、多彩な画像表示を行なうことができる。
【００１１】
本発明において、前記複数のサブ画素は各々、互いに異なる有色の光、例えば、赤色（Ｒ）、緑色（Ｇ）、青色（Ｂ）などの有色光を出射することが好ましい。かかる構成によれば、多彩なカラー表示を行なうことができる。
【００１２】
本発明において、１つの前記画素は、２つのサブ画素によって構成されることが好ましい。本発明では、２階調駆動方式であっても多彩な画像表示を行なうことができるので、２つのサブ画素で１つの画素を構成した場合でも、多彩な画像表示を行なうことができる。
【００１３】
本発明において、前記複数のサブ画素のいずれもが、前記複数の分割サブ画素を備えていることが好ましい。このように構成すると、さらに多彩な画像表示を行なうことができる。
【００１４】
本発明において、１つの前記サブ画素は、２つの分割サブ画素によって構成されることが好ましい。本発明では、２階調駆動方式であっても多彩な画像表示を行なうことができるので、２つの分割サブ画素で１つのサブ画素を構成した場合でも、多彩な画像表示を行なうことができる。
【００１５】
本発明では、前記サブ画素内において、前記複数の分割サブ画素は同一の輝度特性を備えている構成を採用することができる。
【００１６】
本発明では、前記サブ画素内において、前記複数の分割サブ画素は互いに異なる輝度特性を備えていることが好ましい。このように構成すると、複数の分割サブ画素のうちのいずれを点灯状態にするかによって、画像の表示形態が変化するので、２階調駆動方式であっても、かなり多彩な画像表示を行なうことができる。
【００１７】
本発明において、前記複数の分割サブ画素は互いに異なる輝度特性を備えている構成を実現するには、前記サブ画素内において、前記複数の分割サブ画素は互いに異なる濃さのカラーフィルタを備えている構成を採用することができる。また、前記サブ画素内において、前記複数の分割サブ画素は互いに異なる光出射面積を備えている構成であってもよい。
【００１８】
本発明を適用した電気光学装置が液晶装置である場合、前記サブ画素に対応する画素電極が形成された素子基板と、該素子基板に対向配置された対向基板と、前記素子基板と前記対向基板との間に保持された液晶とを備えている。
【００１９】
本発明を適用した電気光学装置は、携帯電話、電子手帳、ビューファインダ型、ＰＯＳ端末、タッチパネルなどの直視型表示装置（電子機器）に用いることができる他、ヘッドアップディスプレイなどといった投射型表示装置（電子機器）に用いることができる。この場合、投射型表示装置は、前記電気光学装置に光を供給する光源と、該光源から出射された光を前記電気光学装置により光変調してなる表示光を被投射面に向けて投射する光学系とを有することになる。
【発明を実施するための最良の形態】
【００２０】
以下、本発明の実施形態を図面に基づいて説明する。以下の実施形態は、電気光学装置として、アクティブマトリクス駆動形式の液晶装置に本発明を適用したものである。なお、以下の説明では、ヘッドアップディスプレイ（投射型表示装置／電子機器）に用いられる電気光学装置を中心に説明する。また、以下の説明で参照する図においては、各層や各部材を図面上で認識可能な程度の大きさとするため、各層や各部材毎に縮尺を異ならしめてある。
【００２１】
［ヘッドアップディスプレイの基本的な構成］
図１は、本発明を適用した電気光学装置が搭載される電子機器の一例としてのヘッドアップディスプレイの基本構成を模式的に示す説明図である。
【００２２】
図１に示すヘッドアップディスプレイ１０００は、ＬＥＤ、冷陰極線管、エレクトロルミネッセンス素子などを用いたバックライト装置１１０（光源）と、後述する電気光学装置１００と、ミラー１２０（光学系）とを備えており、バックライト装置１１０から出射された白色光は、電気光学装置１００により光変調されて表示光として電気光学装置１００からミラー１２０に向けて出射される。そして、ミラー１２０で反射した表示光は、ウィンドシールドガラス１３０（被投射面）に投射される。
【００２３】
かかるヘッドアップディスプレイ１０００は、簡易ナビゲーション表示やスピード表示などを行なう。その際、少ない色数でも十分な情報を表示することができるので、ヘッドアップディスプレイ１０００は、通常のフルカラー表示装置と違って、少ない種類の色で画像を表示すればよいという特殊性を備えている。
【００２４】
また、ヘッドアップディスプレイ１０００は、ナイトビジョンとして構成されることもある。この場合、夜間、赤外線カメラなどの車両前方を撮像した画像を表示するとともに、通行人などの存在を認識した場合、画像内に赤色で警告を行なう。このような用途において、ヘッドアップディスプレイ１０００は、通常のフルカラー表示装置と違って、例えば、緑色の画像表示と赤色での警告表示とを行なうことができればよいという特殊性を備えている。
【００２５】
そこで、本発明では、電気光学装置１００については、以下に説明するように構成されている。なお、図１には、電気光学装置１００として透過型の液晶装置を用いた例を示してあるが、反射型の液晶装置を用いてもよい。
【００２６】
［実施の形態１］
（全体構成）
図２は、本発明を適用した電気光学装置の電気的構成を示すブロック図である。図２に示すように、電気光学装置１００は、液晶パネル１００ｐおよび画像処理回路２５０などを有しており、画像処理回路２５０は、液晶パネル１００ｐに接続されたフレキシブル基板（図示せず）に実装されたＩＣなどにより構成されている。
【００２７】
液晶パネル１００ｐは、その中央領域に複数の画素１００ａがマトリクス状に配列された画素配列領域１０ｂを備えている。詳しくは後述するが、本形態の電気光学装置１００において、複数の画素１００ａは各々、互いに異なる色の光を出射する複数のサブ画素を備えている。本形態において、複数の画素１００ａは各々、２つのサブ画素を備えており、２つのサブ画素のうちの一方のサブ画素は、赤色（Ｒ）の光を出射するサブ画素１００ｂ（Ｒ）であり、他方のサブ画素は、緑色（Ｇ）の光を出射するサブ画素１００ｂ（Ｇ）である。
【００２８】
また、本形態では、赤色（Ｒ）の光を出射するサブ画素１００ｂ（Ｒ）は、赤色用の第１分割サブ画素Ｒ１と、赤色用の第２分割サブ画素Ｒ２とを備えており、緑色（Ｇ）の光を出射するサブ画素１００ｂ（Ｇ）は、緑色用の第１分割サブ画素Ｇ１と、緑色用の第２分割サブ画素Ｇ２とを備えている。
【００２９】
かかる液晶パネル１００ｐにおいて、後述する素子基板１０には、画素配列領域１０ｂの内側で複数本のデータ線６ａおよび複数本の走査線３ａが縦横に延びており、それらの交点に対応する位置に各分割サブ画素（赤色用の第１分割サブ画素Ｒ１、赤色用の第２分割サブ画素Ｒ２、緑色用の第１分割サブ画素Ｇ１、および緑色用の第２分割サブ画素Ｇ２）が構成されている。複数の分割サブ画素の各々には、画素スイッチング素子としての薄膜トランジスタ３０および画素電極９ａが１対１の関係をもって形成されている。薄膜トランジスタ３０のソースにはデータ線６ａが電気的に接続され、薄膜トランジスタ３０のゲートには走査線３ａが電気的に接続され、薄膜トランジスタ３０のドレインには画素電極９ａが電気的に接続されている。
【００３０】
各分割サブ画素（赤色用の第１分割サブ画素Ｒ１、赤色用の第２分割サブ画素Ｒ２、緑色用の第１分割サブ画素Ｇ１、および緑色用の第２分割サブ画素Ｇ２）において、画素電極９ａは、後述する対向基板に形成された共通電極と液晶を介して対向し、液晶容量５０ａを構成している。また、各分割サブ画素には、液晶容量５０ａで保持される階調信号がリークするのを防ぐために、液晶容量５０ａと並列に保持容量６０が付加されている。本形態では、保持容量６０を構成するために、走査線３ａと並列するように容量線３ｂが形成されており、かかる容量線３ｂは共通電位線（図示せず）に接続され、所定の電位に保持されている。なお、保持容量６０は前段の走査線３ａとの間に形成される場合もある。
【００３１】
（駆動回路の構成）
素子基板１０において、画素配列領域１０ｂの外側領域にはデータ線駆動回路２１０および走査線駆動回路２２０が構成されている。走査線駆動回路２２０は、各走査線３ａに電気的に接続しており、走査信号を各走査線３ａに順次供給する。
【００３２】
データ線駆動回路２１０は各データ線６ａの一端に電気的に接続しており、画像処理回路２５０から供給される画像データＤｓに対応する電圧の階調信号（画像信号）を各データ線６ａに順次供給する。
【００３３】
すなわち、画像処理回路２５０は、上位の制御部からデータＤｆが入力されると、かかるデータＤｆに基づいて、ルックアップテーブル２５１から画像データＤｓを生成し、かかる画像データＤｓをフレームメモリ２５３に一時記憶しておき、所定のタイミングで画像データＤｓをデータ線駆動回路２１０に順次供給する。
【００３４】
また、データ線駆動回路２１０は、シフトジスタやラッチ回路を備えたサンプリング信号出力回路２１１と、電圧選択回路２１３とを備えており、データ線駆動回路２１０では、サンプリング信号出力回路２１１から出力された信号に基づいて、電圧選択回路２１３においてデータ線６ａ毎に所定の電圧が選択され、かかる電圧の信号が各データ線６ａに階調信号（画像信号）として供給される。
【００３５】
本形態においては、各分割画素に対する駆動方式として２階調駆動方式が採用されている。このため、各データ線６ａに供給される階調信号は、ＯＮ（点灯）あるいはＯＦＦ（消灯）に対応する２つの電圧である。それ故、電圧選択回路２１３は、２つの電圧レベルに対応する階調電圧線のみを備えている。なお、反転駆動方式が採用される場合、電圧選択回路２１３で選択される電圧の極性は、反転駆動方式の種類によって反転することになるため、階調電圧の数が増えることになるが、それでも、通常のフルカラー表示用の液晶装置と比較すると、階調電圧線の数は極めて少なくて済む。
【００３６】
（液晶パネルおよび素子基板の具体的構成）
図３（ａ）、（ｂ）は各々、本発明を適用した電気光学装置１００の液晶パネル１００ｐを各構成要素と共に対向基板の側から見た平面図、およびそのＨ−Ｈ′断面図である。図３（ａ）、（ｂ）に示すように、電気光学装置１００の液晶パネル１００ｐでは、所定の隙間を介して素子基板１０と対向基板２０とが所定の隙間を介してシール材１０７によって貼り合わされており、シール材１０７は対向基板２０の縁に沿うように配置されている。シール材１０７は、光硬化樹脂や熱硬化性樹脂などからなる接着剤であり、両基板間の距離を所定値とするためのグラスファイバー、あるいはガラスビーズ等のギャップ材が配合されている。
【００３７】
素子基板１０において、シール材１０７の外側領域では、素子基板１０の一辺に沿ってデータ線駆動回路２１０および複数の端子２３０が形成されており、この一辺に隣接する２辺に沿って走査線駆動回路２２０が形成されている。対向基板２０のコーナー部の少なくとも１箇所においては、素子基板１０と対向基板２０との間で電気的導通をとるための上下導通材１０９が形成されている。
【００３８】
詳しくは後述するが、素子基板１０には、画素電極９ａがマトリクス状に形成されている。これに対して、対向基板２０には、シール材１０７の内側領域に遮光性材料からなる額縁１０８が形成され、その内側が画像表示領域１０ａとされている。また、対向基板２０では、素子基板１０の画素電極９ａの縦横の境界領域と対向する領域にブラックマトリクス（あるいはブラックストライプ）などと称せられる遮光膜２３が形成され、その上層側には、後述するカラーフィルタ、平坦化膜、共通電極２１、配向膜が形成されている。画素配列領域１０ｂには、額縁１０８と重なる領域にダミーの画素が構成される場合があり、この場合、画素配列領域１０ｂのうち、ダミー画素を除いた領域が画像表示領域１０ａとして利用されることになる。
【００３９】
図示を省略するが、電気光学装置１００において、対向基板２０および素子基板１０の光入射側の面あるいは光出射側には、使用する液晶５０の種類、すなわち、ＴＮ（ツイステッドネマティック）モード、ＳＴＮ（スーパーＴＮ）モード等々の動作モードや、ノーマリホワイトモード／ノーマリブラックモードの別に応じて、偏光フィルム、位相差フィルム、偏光板などが所定の向きに配置される。
【００４０】
（各画素の具体的構成）
図４（ａ）、（ｂ）は各々、本発明を適用した電気光学装置１００に用いた素子基板１０において相隣接する画素の平面図、およびそのＡ−Ａ′線に相当する位置で電気光学装置１００を切断したときの断面図である。
【００４１】
図４（ａ）、（ｂ）に示すように、素子基板１０には、ガラスなどからなる透光性基板１０ｄの表面にシリコン酸化膜などからなる下地保護膜１２が形成されているとともに、その表面側において、画素電極９ａに隣接する位置にＮチャネル型の薄膜トランジスタ３０が形成されている。薄膜トランジスタ３０は、島状の半導体膜１ａに対して、チャネル形成領域１ａ′、低濃度ソース領域１ｂ、高濃度ソース領域１ｄ、低濃度ドレイン領域１ｃ、および高濃度ドレイン領域１ｅが形成されたＬＤＤ（Lightly Doped Drain）構造を備えている。
【００４２】
半導体膜１ａは、素子基板１０に対してアモルファスシリコン膜を形成した後、レーザアニールやランプアニールなどにより多結晶化されたポリシリコン膜である。低濃度ソース領域１ｂおよび低濃度ドレイン領域１ｃは、走査線３ａをマスクとして、例えば、約０．１×１０13／ｃｍ2〜約１０×１０13／ｃｍ2のドーズ量で低濃度Ｎ型の不純物イオン（リンイオン）を導入することにより形成された半導体領域であり、高濃度ソース領域１ｄおよび高濃度ドレイン領域１ｅは、レジストマスクを用いて、約０．１×１０15／ｃｍ2〜約１０×１０15／ｃｍ2のドーズ量で高濃度Ｎ型の不純物イオン（リンイオン）を導入することにより形成された半導体領域である。
【００４３】
薄膜トランジスタ３０の上層側には、層間絶縁膜７、８が形成されている。層間絶縁膜７の表面にはデータ線６ａが形成され、このデータ線６ａは、層間絶縁膜７に形成されたコンタクトホール７ａを介して高濃度ソース領域１ｄに電気的に接続している。層間絶縁膜８の表面にはＩＴＯ（Indium Tin Oxide）膜からなる透光性の画素電極９ａが形成されている。画素電極９ａは、層間絶縁膜８に形成されたコンタクトホール８ａを介してドレイン電極６ｂに電気的に接続し、このドレイン電極６ｂは、層間絶縁膜７およびゲート絶縁膜２に形成されたコンタクトホール７ｂを介して高濃度ドレイン領域１eに電気的に接続している。画素電極９ａの表面側にはポリイミド膜からなる配向膜１６が形成されている。また、高濃度ドレイン領域１ｅからの延設部分１ｆ（下電極）に対しては、ゲート絶縁膜２と同時形成された絶縁膜（誘電体膜）を介して、走査線３ａと同層の容量線３ｂが上電極として対向することにより、保持容量６０が構成されている。本形態において、走査線３ａおよび容量線３ｂは、モリブデン膜、アルミニウム膜、チタン膜、タングステン膜、タンタル膜などの単層膜あるいは積層膜からなる。また、データ線６ａおよびドレイン電極６ｂも、モリブデン膜、アルミニウム膜、チタン膜、タングステン膜、タンタル膜などの単層膜あるいは積層膜からなる。
【００４４】
このように構成した素子基板１０と対向基板２０とは、画素電極９ａと共通電極２１とが対面するように配置され、かつ、これらの基板間には、前記のシール材１０７（図３（ａ）、（ｂ）参照）により囲まれた空間内に電気光学物質としての液晶５０が封入されている。液晶５０は、画素電極９ａからの電界が印加されていない状態で配向膜１６、２６により所定の配向状態をとる。液晶５０は、例えば一種または数種のネマティック液晶を混合したものなどからなる。
【００４５】
このような構成の電気光学装置１００においては、１つの画素電極９ａに対応して１つの分割サブ画素（赤色用の第１分割サブ画素Ｒ１、赤色用の第２分割サブ画素Ｒ２、緑色用の第１分割サブ画素Ｇ１、および緑色用の第２分割サブ画素Ｇ２）が構成されている。
【００４６】
このような分割サブ画素を構成するにあたって、対向基板２０では、ガラスなどからなる透光性基板２０ｂの表面に、まず、異なる色の分割サブ画素の境界領域と対向する領域（赤色用の第１分割サブ画素Ｒ１および緑色用の第２分割サブ画素Ｇ２との境界領域、および赤色用の第２分割サブ画素Ｒ２と緑色用の第１分割サブ画素Ｇ１との境界領域）に沿ってブラックストライプと称せられる遮光膜２３が形成され、遮光膜２３の上層側には、対応する色のカラーフィルタ２２（Ｒ）、（Ｇ）が形成されている。すなわち、赤色用の第１分割サブ画素Ｒ１および第２分割サブ画素Ｒ２には、赤色（Ｒ）のカラーフィルタ２２（Ｒ）が形成され、緑色用の第１分割サブ画素Ｇ１および第２分割サブ画素Ｇ２には、緑色（Ｇ）のカラーフィルタ２２（Ｇ）が形成されている。また、カラーフィルタ２２（Ｒ）、（Ｇ）の上層には、感光性樹脂からなる平坦化膜２４、ＩＴＯ膜からなる透光性の共通電極２１、および配向膜２６が形成されている。なお、全ての画素電極９ａの縦横の各境界領域と対向する領域にブラックマトリクスと称せられる遮光膜２３を形成してもよい。
【００４７】
（分割サブ画素の詳細構成）
図５は、本発明の実施の形態１に係る電気光学装置１００における各画素（サブ画素／分割サブ画素）の平面的な構成を示す説明図であり、隣接する４つの画素を示してある。
【００４８】
図５に示すように、本形態の電気光学装置１００においては、カラー配列としてストライプ配列が採用されており、互いに直交する方向を第１方向Ｘ（走査線３ａが延びている方向）および第２方向Ｙ（データ線６ａが延びている方向）としたとき、赤色（Ｒ）に対応するサブ画素１００ｂ（Ｒ）、および緑色（Ｇ）に対応するサブ画素１００ｂ（Ｇ）は各々、第２方向に配列されている。従って、第１方向Ｘに沿って配列された画素１００ａでは、赤色用のサブ画素１００ｂ（Ｒ）と、緑色用のサブ画素１００ｂ（Ｇ）とが交互に配置され、第２方向Ｙで隣接する画素間では、赤色用のサブ画素１００ｂ（Ｒ）、および緑色用のサブ画素１００ｂ（Ｇ）の第１方向Ｘにおける位置が一致している。ここで、複数の画素１００ａのいずれにおいても、赤色用のサブ画素１００ｂ（Ｒ）と、緑色用のサブ画素１００ｂ（Ｇ）とは同一サイズである。
【００４９】
また、赤色用のサブ画素１００ｂ（Ｒ）は、第１方向Ｘにおいて第１分割サブ画素Ｒ１と第２分割サブ画素Ｒ２とに分割され、緑色用のサブ画素１００ｂ（Ｇ）は、第１方向Ｘにおいて第１分割サブ画素Ｇ１と第２分割サブ画素Ｇ２とに分割されている。
【００５０】
ここで、各分割サブ画素（赤色用の第１分割サブ画素Ｒ１、赤色用の第２分割サブ画素Ｒ２、緑色用の第１分割サブ画素Ｇ１、および緑色用の第２分割サブ画素Ｇ２）のサイズは同一である。また、図４（ｂ）を参照して説明した赤色（Ｒ）のカラーフィルタ２２（Ｒ）は、赤色用の第１分割サブ画素Ｒ１と第２分割サブ画素Ｒ２とにおいて色材濃度や厚さが同一であり、濃さが等しい。また、図４（ｂ）を参照して説明した緑色（Ｇ）のカラーフィルタ２２（Ｇ）は、緑色用の第１分割サブ画素Ｇ１と第２分割サブ画素Ｇ２とにおいて色材濃度や厚さが同一であり、濃さが等しい。
【００５１】
従って、本形態では、第１分割サブ画素Ｒ１と第２分割サブ画素Ｒ２とでは、輝度特性が等しく、第１分割サブ画素Ｇ１と第２分割サブ画素Ｇ２とでは、輝度特性が等しい。ここで、輝度特性は、画素電極９ａに印加された電圧が等しい条件において出射される光量が等しいとき、輝度特性が等しいと定義される。
【００５２】
（表示動作）
図６（ａ）、（ｂ）は、本発明の実施の形態１に係る電気光学装置１００における各分割サブ画素に対する駆動条件と画素全体での光変調状態との関係を示す説明図、および各分割サブ画素に対する駆動条件を規定する画像データの説明図である。
【００５３】
本形態の電気光学装置１００においては、分割サブ画素に対する駆動方式として２階調駆動方式が採用されているため、図６（ａ）の（ii）欄に示すように、各データ線６ａに供給される階調信号は、ＯＮ（点灯）あるいはＯＦＦ（消灯）に対応する２つの電圧である。このため、各分割サブ画素（赤色用の第１分割サブ画素Ｒ１、赤色用の第２分割サブ画素Ｒ２、緑色用の第１分割サブ画素Ｇ１、および緑色用の第２分割サブ画素Ｇ２）は各々独立して、ＯＮ（点灯）あるいはＯＦＦ（消灯）に切り換えられる。その結果、図６（ａ）の（iii）欄に示すように、サブ画素全体での最大輝度を１００％とした場合、各分割サブ画素における輝度は０％と５０％とに切り換えられることになり、それに伴い、図６（ａ）の（iv）欄に示すように、各サブ画素１００ｂ（Ｒ＝Ｒ１＋Ｒ２）、１００ｂ（Ｇ＝Ｇ１＋Ｇ２）での輝度は各々、０％、５０％、１００％に切り換えられる。ここで、各サブ画素での輝度は各々、３水準であるが、画素１００ａでの光変調状態は、一部が重複する。このため、図６（ａ）の（i）欄に示すように、画素１００ａでは、各分割サブ画素から出射される光が合成される結果、画素１００ａの状態は、以下の条件１〜９
条件１：Ｂｌａｃｋ
条件２：Ｇｒｅｅｎ５０
条件３：Ｇｒｅｅｎ１００
条件４：Ｒｅｄ５０
条件５：Ｙｅｌｌｏｗ５０
条件６：黄緑
条件７：Ｒｅｄ１００
条件８：Ａｍｂｅｒ
条件９：Ｙｅｌｌｏｗ１００
に切り換えられることになる。なお、各色の後に付した数値は輝度（階調）を示す。
【００５４】
このような駆動を行なう際、図２に示す画像処理回路２５０に対しては、上位の制御部から、画素１００ａ毎の条件１〜９に対応するデータＤｆが入力され、画像処理回路２５０では、データＤｆ、およびルックアップテーブル２５１に設定されているデータに基づいて、図６（ｂ）に示すように、各画素１００ａでの駆動条件が、「０」「１」の２値化信号からなる画像データＤｓに変換され、かかる画像データＤｓに基づいて、データ線駆動回路２１０からは各分割サブ画素に階調信号が出力される。その結果、各画素１００ａでは、図６（ａ）に示す各条件１〜９に対応する光を出射することになる。
【００５５】
（本形態の主な効果）
以上説明したように、本形態の電気光学装置１００では、２階調駆動方式を採用したため、階調電圧線が少なくて済むなど、画素１００ａを駆動するためデータ線駆動回路２１０や画像処理回路２５０の構成の簡素化を図ることができる。
【００５６】
また、複数のサブ画素１００ｂ（Ｒ）、１００ｂ（Ｇ）は、互いに独立して２階調駆動される複数の分割サブ画素（赤色用の第１分割サブ画素Ｒ１、赤色用の第２分割サブ画素Ｒ２、緑色用の第１分割サブ画素Ｇ１、および緑色用の第２分割サブ画素Ｇ２）により構成されているため、２階調駆動であっても、図６（ａ）に示すように、分割サブ画素の全てが消灯状態、分割サブ画素のうちの一部が消灯状態で他が点灯状態、分割サブ画素の全てが点灯状態とすることができるので、２階調駆動方式であっても、緑色、赤色、黄色については中間調の表示が可能であるなど、多彩な画像表示を行なうことができる。
【００５７】
また、本形態では、２つの色のサブ画素１００ｂ（Ｒ）、１００ｂ（Ｇ）によって画素１００ａを構成し、混色の問題が発生しないとして、異なる色の分割サブ画素の境界領域と対向する領域のみにブラックストライプと称せられる遮光膜２３を形成し、同一色の分割サブ画素に属する画素電極９ａの境界領域と対向する領域には遮光膜２３を形成していない。このため、３色のサブ画素を用いた場合に比較して画素開口率が高い。それ故、本形態によれば、輝度の高い画像を表示することができる。
【００５８】
［実施の形態２］
図７は、本発明の実施の形態２に係る電気光学装置１００における各画素（サブ画素／分割サブ画素）の平面的な構成を示す説明図である。図８（ａ）、（ｂ）は、本発明の実施の形態２に係る電気光学装置１００における各分割サブ画素に対する駆動条件と画素全体での光変調状態との関係を示す説明図、および各分割サブ画素に対する駆動条件を規定する画像データの説明図である。なお、本形態の基本的な構成は実施の形態１と同様であるため、共通する部分には同一の符号を付して図示し、それらの説明を省略する。
【００５９】
図７に示すように、本形態の電気光学装置１００においても、実施の形態１と同様、複数の画素１００ａのいずれにおいても、赤色用のサブ画素１００ｂ（Ｒ）と、緑色用のサブ画素１００ｂ（Ｇ）とが形成されており、いずれの画素１００ａにおいても、赤色用のサブ画素１００ｂ（Ｒ）と、緑色用のサブ画素１００ｂ（Ｇ）とは同一サイズである。また、赤色用のサブ画素１００ｂ（Ｒ）は、第１方向Ｘにおいて第１分割サブ画素Ｒ１と第２分割サブ画素Ｒ２とに分割され、緑色用のサブ画素１００ｂ（Ｇ）は、第１方向Ｘにおいて第１分割サブ画素Ｇ１と第２分割サブ画素Ｇ２とに分割されている。
【００６０】
ここで、各分割サブ画素（赤色用の第１分割サブ画素Ｒ１、赤色用の第２分割サブ画素Ｒ２、緑色用の第１分割サブ画素Ｇ１、および緑色用の第２分割サブ画素Ｇ２）のサイズは同一である。
【００６１】
但し、実施の形態１と違って、本形態では、図４（ｂ）を参照して説明した赤色（Ｒ）のカラーフィルタ２２（Ｒ）は、赤色用の第１分割サブ画素Ｒ１と第２分割サブ画素Ｒ２とにおいて色材濃度や厚さが相違しており、濃さが相違する。本形態では、第１分割サブ画素Ｒ１に形成されたカラーフィルタ２２（Ｒ）は、第２分割サブ画素Ｒ２に形成されたカラーフィルタ２２（Ｒ）よりも色材濃度が低い。それ故、本形態では、第１分割サブ画素Ｒ１は、画素電極９ａに印加された電圧が等しい条件において出射される光量が第２分割サブ画素Ｒ２に比較して大であり、輝度特性が高い。また、図４（ｂ）を参照して説明した緑色（Ｇ）のカラーフィルタ２２（Ｇ）は、緑色用の第２分割サブ画素Ｇ１と第２分割サブ画素Ｇ２とにおいて色材濃度や厚さが相違しており、濃さが相違する。本形態では、第１分割サブ画素Ｇ１に形成されたカラーフィルタ２２（Ｇ）は、第２分割サブ画素Ｇ２に形成されたカラーフィルタ２２（Ｇ）よりも色材濃度が低い。それ故、本形態では、第１分割サブ画素Ｇ１は、画素電極９ａに印加された電圧が等しい条件において出射される光量が第２分割サブ画素Ｇ２に比較して大であり、輝度特性が高い。
【００６２】
本形態の電気光学装置１００においても、実施の形態１と同様、分割サブ画素に対する駆動方式として２階調駆動方式が採用されている。このため、図８（ａ）の（ii）欄に示すように、各データ線６ａに供給される階調信号は、ＯＮ（点灯）あるいはＯＦＦ（消灯）に対応する２つの電圧である。従って、各分割サブ画素（赤色用の第１分割サブ画素Ｒ１、赤色用の第２分割サブ画素Ｒ２、緑色用の第１分割サブ画素Ｇ１、および緑色用の第２分割サブ画素Ｇ２）は各々独立して、ＯＮ（点灯）あるいはＯＦＦ（消灯）に切り換えられる。その結果、図８（ａ）の（iii）欄に示すように、サブ画素全体での最大輝度を１００％とした場合、第１分割サブ画素Ｒ１、Ｇ１における輝度は各々、０％、７０％に切り換えられ、第２分割サブ画素Ｒ２、Ｇ２における輝度は０％と３０％とに切り換えられることになる。従って、図８（ａ）の（iv）欄に示すように、各サブ画素１００ｂ（Ｒ＝Ｒ１＋Ｒ２）、１００ｂ（Ｇ＝Ｇ１＋Ｇ２）での輝度は各々、０％、３０％、７０％、１００％に切り換えられる。ここで、各サブ画素での輝度は各々４水準であり、画素１００ａでの光変調状態に重複がない。このため、図８（ａ）の（i）欄に示すように、画素１００ａでは、各分割サブ画素から出射される光が合成される結果、１つの画素１００ａの状態は、以下の条件１〜１６
条件１：Ｂｌａｃｋ
条件２：Ｇｒｅｅｎ３０
条件３：Ｇｒｅｅｎ７０
条件４：Ｇｒｅｅｎ１００
条件５：Ｒｅｄ３０
条件６：Ｙｅｌｌｏｗ３０
条件７：黄緑１
条件８：黄緑２
条件９：Ｒｅｄ７０
条件１０：Ａｍｂｅｒ１
条件１１：Ｙｅｌｌｏｗ７０
条件１２：黄緑３
条件１３：Ｒｅｄ１００
条件１４：Ａｍｂｅｒ２
条件１５：Ａｍｂｅｒ３
条件１６：Ｙｅｌｌｏｗ１００
に切り換えられることになる。なお、各色の後に付した数値は輝度（階調）を示す。
【００６３】
この場合も、実施の形態１と同様、図２に示す画像処理回路２５０に対しては、上位の制御部から、画素１００ａ毎の条件１〜９に対応するデータＤｆが入力され、画像処理回路２５０では、データＤｆ、およびルックアップテーブル２５１に設定されているデータに基づいて、図８（ｂ）に示すように、各画素１００ａでの駆動条件が、「０」「１」の２値化信号からなる画像データＤｓに変換され、かかる画像データＤｓに基づいて、データ線駆動回路２１０からは各分割サブ画素に階調信号が出力される。その結果、各画素１００ａでは、図８（ａ）に示す各条件１〜９に対応する光を出射することになる。
【００６４】
以上説明したように、本形態の電気光学装置１００でも、実施の形態１と同様、２階調駆動方式をしたため、画素１００ａを駆動するためデータ線駆動回路２１０や画像処理回路２５０の構成の簡素化を図ることができる。
【００６５】
また、複数のサブ画素１００ｂ（Ｒ）、１００ｂ（Ｇ）は、互いに独立して２階調駆動される複数の分割サブ画素（赤色用の第１分割サブ画素Ｒ１、赤色用の第２分割サブ画素Ｒ２、緑色用の第１分割サブ画素Ｇ１、および緑色用の第２分割サブ画素Ｇ２）により構成されているため、２階調駆動であっても、分割サブ画素の全てが消灯状態、分割サブ画素のうちの一部が消灯状態で他が点灯状態、分割サブ画素の全てが点灯状態とすることができる。従って、２階調駆動方式であっても、緑色、赤色、黄色、黄緑色、琥珀色については、中間調の表示が可能であるなど、多彩な画像表示を行なうことができる。
【００６６】
また、本形態では、２つの色のサブ画素１００ｂ（Ｒ）、１００ｂ（Ｇ）によって画素１００ａを構成し、混色の問題が発生しないとして、異なる色の分割サブ画素の境界領域と対向する領域のみに遮光膜２３を形成し、同一色の分割サブ画素に属する画素電極９ａの境界領域と対向する領域には遮光膜２３を形成していない。このため、３色のサブ画素を用いた場合に比較して画素開口率が高いので、輝度の高い画像を表示することができる。
【００６７】
さらに、本形態では、黄緑や琥珀色などの混合色についても３階調の色を実現することができる。それ故、使用環境に応じて好みの色を選択することができるなど、利用者の趣向に応えることができる。
【００６８】
［実施の形態２の変形例］
図９は、本発明の実施の形態２の変形例に係る電気光学装置１００における各画素（サブ画素／分割サブ画素）の平面的な構成を示す説明図である。なお、本形態の基本的な構成は実施の形態１と同様であるため、共通する部分には同一の符号を付して図示し、それらの説明を省略する。
【００６９】
実施の形態２では、カラーフィルタ２２（Ｒ）、２２（Ｇ）の濃さを赤色用の第１分割サブ画素Ｒ１と第２分割サブ画素Ｒ２との間、および緑色用の第１分割サブ画素Ｇ１と第２分割サブ画素Ｇ２との間で相違させて、第１分割サブ画素Ｒ１、Ｇ１の輝度特性を第２分割サブ画素Ｒ２、Ｇ２に比較して高く設定したが、図９に示すように、カラーフィルタ２２（Ｒ）、２２（Ｇ）の色材濃度や厚さを赤色用の第１分割サブ画素Ｒ１と第２分割サブ画素Ｒ２との間、および緑色用の第１分割サブ画素Ｇ１と第２分割サブ画素Ｇ２との間で同一とし、分割サブ画素のサイズを赤色用の第１分割サブ画素Ｒ１と第２分割サブ画素Ｒ２との間、および緑色用の第１分割サブ画素Ｇ１と第２分割サブ画素Ｇ２との間で相違させて、第１分割サブ画素Ｒ１、Ｇ１の輝度特性を第２分割サブ画素Ｒ２、Ｇ２に比較して高く設定してもよい。本形態において、第１分割サブ画素Ｒ１と第２分割サブ画素Ｒ２とのサイズ比は７：３であり、第１分割サブ画素Ｇ１と第２分割サブ画素Ｇ２とのサイズ比は７：３である。その他の構成については、実施の形態２と同等であるため、説明を省略する。
【００７０】
かかる構成を採用した場合でも、実施の形態２において図８（ａ）、（ｂ）を参照して説明したように、各サブ画素での輝度は各々、０％、３０％、７０％、１００％に切り換えられるため、計１６の条件で画素１００ａを駆動することができるなど、実施の形態２と同様な効果を奏する。
【００７１】
また、本形態では、カラーフィルタ２２（Ｒ）、２２（Ｇ）の色材濃度や厚さを赤色用の第１分割サブ画素Ｒ１と第２分割サブ画素Ｒ２との間、および緑色用の第１分割サブ画素Ｇ１と第２分割サブ画素Ｇ２との間で同一としたので、１つの色のカラーフィルタについては同一材料を用いて同一工程で形成することができる。それ故、本形態によれば、生産効率を向上することができるという利点がある。
【００７２】
［その他の実施の形態］
上記実施の形態１、２では、第１方向Ｘに赤色（Ｒ）に対応するサブ画素１００ｂ（Ｒ）と緑色（Ｇ）に対応するサブ画素１００ｂ（Ｇ）が交互に配置され、サブ画素１００ｂ（Ｒ）、１００ｂ（Ｇ）は、第１方向Ｘで第１分割サブ画素Ｒ１、Ｇ１と第２分割サブ画素Ｒ２、Ｇ２とに分割されていたが、図１０（ａ）に示すように、サブ画素１００ｂ（Ｒ）、１００ｂ（Ｇ）が第２方向Ｙで第１分割サブ画素Ｒ１、Ｇ１と第２分割サブ画素Ｒ２、Ｇ２とに分割されている構成を採用してもよい。また、図１０（ｂ）に示すように、第２方向Ｙに赤色（Ｒ）に対応するサブ画素１００ｂ（Ｒ）と緑色（Ｇ）に対応するサブ画素１００ｂ（Ｇ）が交互に配置され、サブ画素１００ｂ（Ｒ）、１００ｂ（Ｇ）が第１方向Ｘで第１分割サブ画素Ｒ１、Ｇ１と第２分割サブ画素Ｒ２、Ｇ２とに分割されている構成を採用してもよい。
【００７３】
上記実施の形態１、２では、１つの画素１００ａに赤色のサブ画素１００ｂ（Ｒ）と緑色のサブ画素１００ｂ（Ｇ）とを設けたが、サブ画素に対応する色については、赤色と緑色との組み合わせに限らず、赤色と青色との組み合わせなどを採用してもよい。サブ画素に対応する色については、一方のサブ画素については、赤色、緑色、青色などの有色を対応させ、他方のサブ画素については白色を対応させてもよく、かかる白色のサブ画素は、カラーフィルタの形成を省略することにより実現することができる。
【００７４】
上記実施の形態１、２では、１つの画素１００ａに、異なる色に対応する２つのサブ画素を設けたが、３つ以上のサブ画素、例えば、赤色、緑色、青色に対応するサブ画素を設けてもよい。
【００７５】
上記実施の形態１、２では、サブ画素に２つの分割サブ画素を設けたが、３つ以上の分割サブ画素を設けてもよい。
【００７６】
上記実施の形態１、２では、１つの画素１００ａに設けた複数のサブ画素の全てにおいて、分割サブ画素を設けたが、複数のサブ画素の少なくとも一部のサブ画素のみに分割サブ画素を設けてもよい。
【００７７】
上記実施の形態１、２では、カラー配列としてストライプ配列が採用されていたが、第２方向Ｙで隣接する画素間では、サブ画素１００ｂ（Ｒ）とサブ画素１００ｂ（Ｇ）とが画素１００ａのピッチの１／２倍に相当する寸法だけ、第１方向Ｘにおける位置がずれているデルタ配列を採用してもよい。かかる構成を採用すれば、電気光学装置１００にカバーを設けた場合などにおいて、矢印Ｘにおける端部がカバーで覆われ、かかる端部で線を表示した場合に特定色の線が表示されてしまうことを防止することができる。
【００７８】
上記実施の形態１、２では、半導体膜としてポリシリコン膜を用いた例であったが、アモルファスシリコン膜や単結晶シリコン層を用いた素子基板１０に本発明を適用してもよい。また、画素スイッチング素子として薄膜ダイオード素子（非線形素子）を用いた液晶装置に本発明を適用してもよい。
【００７９】
また、上記形態では、ＴＮ（Twisted Nematic）方式の液晶装置（電気光学装置）に本発明を適用したが、いわゆるフリンジフィールドスイッチング（ＦＦＳ（Fringe Field Switching））方式やインプレンスイッチング（ＩＰＳ(In Plane Switching)）方式等、横電界により液晶を駆動するタイプの液晶装置（電気光学装置）に本発明を適用してもよい。
【００８０】
さらに、上記形態では、電気光学装置として、液晶装置を例に説明したが、液晶以外の電気光学物質を用いた電気光学装置、例えば、有機エレクトロルミネッセンス装置に本発明を適用してもよい。
【００８１】
［電子機器への搭載例］
次に、上述した実施形態に係る電気光学装置１００を適用した電子機器について説明する。図１１（ａ）に、電気光学装置１００を備えた携帯電話機の構成を示す。携帯電話機３０００は、複数の操作ボタン３００１およびスクロールボタン３００２、並びに表示ユニットとしての電気光学装置１００を備える。スクロールボタン３００２を操作することによって、電気光学装置１００に表示される画面がスクロールされる。図１１（ｂ）に、電気光学装置１００を適用した情報携帯端末（ＰＤＡ：Personal Digital Assistants）の構成を示す。情報携帯端末４０００は、複数の操作ボタン４００１および電源スイッチ４００２、並びに表示ユニットとしての電気光学装置１００を備える。電源スイッチ４００２を操作すると、住所録やスケジュール帳といった各種の情報が電気光学装置１００に表示される。
【００８２】
なお、電気光学装置１００が適用される電子機器としては、図１１に示すものの他、ページャ、電子手帳、電卓、ＰＯＳ端末、タッチパネルを備えた機器等などが挙げられる。そして、これらの各種電子機器の表示部として、前述した電気光学装置１００が適用可能である。
【図面の簡単な説明】
【００８３】
【図１】本発明を適用した電気光学装置が搭載される電子機器の一例としてのヘッドアップディスプレイの基本構成を模式的に示す説明図である。
【図２】本発明を適用した電気光学装置の電気的構成を示すブロック図である。
【図３】（ａ）、（ｂ）は各々、本発明を適用した電気光学装置を各構成要素と共に対向基板の側から見た平面図、およびそのＨ−Ｈ′断面図である。
【図４】（ａ）、（ｂ）は各々、本発明を適用した電気光学装置に用いた素子基板において相隣接する画素の平面図、およびそのＡ−Ａ′線に相当する位置で電気光学装置を切断したときの断面図である。
【図５】本発明の実施の形態１に係る電気光学装置における各画素（サブ画素／分割サブ画素）の平面的な構成を示す説明図である。
【図６】（ａ）、（ｂ）は、本発明の実施の形態１に係る電気光学装置における各分割サブ画素に対する駆動条件と画素全体での光変調状態との関係を示す説明図、および各分割サブ画素に対する駆動条件を規定する画像データの説明図である。
【図７】本発明の実施の形態２に係る電気光学装置における各画素（サブ画素／分割サブ画素）の平面的な構成を示す説明図である。
【図８】（ａ）、（ｂ）は、本発明の実施の形態２に係る電気光学装置における各分割サブ画素に対する駆動条件と画素全体での光変調状態との関係を示す説明図、および各分割サブ画素に対する駆動条件を規定する画像データの説明図である。
【図９】本発明の実施の形態２の変形例に係る電気光学装置における各画素（サブ画素／分割サブ画素）の平面的な構成を示す説明図である。
【図１０】（ａ）、（ｂ）は各々、本発明の他の実施の形態に係る電気光学装置における各画素（サブ画素／分割サブ画素）の平面的な構成を示す説明図である。
【図１１】本発明に係る電気光学装置を用いた電子機器の説明図である。
【符号の説明】
【００８４】
９ａ・・画素電極、１０・・素子基板、１０ｂ・・画素配列領域、２０・・対向基板、２２（Ｒ）、（Ｇ）・・カラーフィルタ、３０・・薄膜トランジスタ、１００・・電気光学装置、１００ａ・・画素、１００ｂ（Ｒ）、（Ｇ）・・サブ画素、１１０・・バックライト装置（光源）、１２０・・ミラー（光学系）、２１０・・データ線駆動回路、２２０・・走査線駆動回路、２５０・・画像処理回路、１０００・・ヘッドアップディスプレイ（電子機器）、Ｒ１・・赤色用の第１分割サブ画素、Ｒ２・・赤色用の第２分割サブ画素、Ｇ１・・緑色用の第１分割サブ画素、Ｇ２・・緑色用の第２分割サブ画素
【図１】
2009204898.tif 000003
【図２】
2009204898.tif 000004
【図３】
2009204898.tif 000005
【図４】
2009204898.tif 000006
【図５】
2009204898.tif 000007
【図６】
2009204898.tif 000008
【図７】
2009204898.tif 000009
【図８】
2009204898.tif 000010
【図９】
2009204898.tif 000011
【図１０】
2009204898.tif 000012
【図１１】
2009204898.tif 000013